(57)【要約】      （修正有）【課題】ワンタッチ方式による連続ユニットシステムを安全かつ簡易的にベランダの他屋外手摺・地上・屋上ポ−ル等、空間スペ−スを充二分に有効活用して設置し受光効率を高める。【解決手段】単独ポ−ル等の安全と安価で安定性を第一としたユニットタイプによる組立て式を主とした、スライド・ノ−ト・一括ＵＰ式等の増架用フレ−ム、の低コスト化とスピ−ド設置且つ、日照時と日没時との簡単なチェンジを可能とする。即ち、日照条件、さえ適えればベランダ・単独ポ−ル等、狭隘なスペ−スでも簡易的に設置可能なユニットシステム等を基本として増架をし易く考えた、パネル用等の施設化により受光面積が倍増以上となり受光効率を高める。従ってト−タルコストの一層のダウンが図られるものである。【選択図】図１
0003129362.tif 000002
【実用新案登録請求の範囲】
【請求項１】
スライド＆ノ−ト型ソ−ラ−パネル架台の占有面積は従来と変わらず同一で受光パネル面積を倍増以上とする。即ち、従来の固定した受光パネル用架台と、今回の考案した増架パネル用の可動するパネル用フレ−ムより構成する。
これにより既存屋根上への設置に止まらず、単独ポ−ル等の安全と安定性を第一とした、ユニットタイプ（ア−ム・ブラケット）に依る組み立て式を主として、組立てるパネルの増架フレ−ムコスト、のみで設置を可能とする。従って従来型の建物屋根等の構造物のみへの設置費に比較して、受光効率のアップとト−タルコストの低減が図れる。引いては、設備費の圧縮及び償却年数が短縮出来るのである。
これがスライド＆ノ−ト型ソ−ラ−パネル。
【請求項２】
傾斜角度＆回転方向チェンジ方法は、太陽光の日照を朝日から夕陽まで長時間受光する方法として日照方向に併せて受光パネル用架台（ポ−ル）を手動又はセンサ−ロ−タリ−等に依り、傾斜角度＆回転方向チェンジを可能とする。これをシステム化して、受光効率を向上させて、固定パネルとする他、受光パネルをスライド＆ノ−ト型ソ−ラ−パネルの増架パネルを設置する。これは従来に無かった簡易増設を可能とする事で、セット当たり倍増以上とする事が可能となるのである。これが傾斜角度＆回転方向チェンジ。
【請求項３】
アップスライダ−モ−ル式は架台の占有面積は従来と変わらず同一で受光パネル面積を倍増以上とする。即ち、従来の固定した架台と今回考案した一括可動する増架用のアップスライダ−モ−ル式等の受光パネル用ソ−ラ−パネル用フレ−ムより構成する。
これにより受光効率のアップと、ト−タルコストダウンが図られる。
従来型の建物屋根等の構造物のみへの設置費と比して、単独ポ−ル等の安価で安全と安定性を第一としたユニットタイプ（ア−ム・ブラケット）に依る組立て式を主とした操作簡単・増架用フレ−ムのコストのみで増設設置を可能とする。従って、ランニング＆イニシャルコストの低減が図れるので全ト−タル設備費の圧縮、償却年数が短縮出来る。即ち、アップスライダ−モ−ル式とする事で一括した、ソ−ラ−パネル増架を可能とするこれは、予め梯子型の枠内にソ−ラ−パネルと付属配線を仕組み、固定したものを一括しアップスライダ−モ−ル式として増架する。
受光パネルを増架用のアップスライダ−モ−ル式により、セット当たり３面〜最大５面体程度まで可能とする増架パネルを設置する事が出来る。これをシステム化して受光効率を向上させる  尚、屋根上・ポ−ル型及び横組式・縦組式タイプを繋ぎ合せてセットとする
上記の架台を単独・併設ポ−ルタイプ等として、２〜３段積等として多層設置する事で又、受光パネル面積を更に倍増以上とする事も可能となる。且つ、日照条件が良ければ、いかなる狭隘な場所でも設置が可能となり、設置・移動等も単独に出来る等、汎用がより拡大する事が出来るのである。これがアップスライダ−モ−ル式。
【考案の詳細な説明】
【技術分野】
【０００１】  本考案は、従来の固定した受光パネル用架台に、増架するための可動パネル用フレ−ム及び受光パネルをスライドさせる。即ち、受光面積を倍増以上とするソ−ラ−システムに関するものである。
【背景技術】
【０００２】  ソ−ラ−発電設備は概ね建物屋根等の構造物への設置が多く、街路灯・交通信号点滅灯等の単体設置に限られている。その他、利用方法に付いて広く応用がされていない。即ち固定した受光パネル用架台等の設置のみにとどまっている。
【考案の開示】
【考案が解決しようとする課題】
【０００３】  自然エネルギ−を最大限に利用する事に依り、環境に優しいエコシステム向上の一環として、今回の考案を汎用拡大される事で、省エネ及び地球温暖化防止抑制に役立つ事になる。即ち従来の占有面積を利用し乍ら、より一層無限の太陽エネルギ−を活用する為に、日照条件が適えれば狭隘なスペ−スでも簡易的に設置可能なユニットシステムを基本とした、応用多彩的なワンタッチ方式による連続ユニットシステムを安全＆簡易的にベランダの他屋外手摺・地上・屋上ポ−ル等、空間スペ−スを充二分に有効活用して設置し易くする等一層受光効率を高める。前述の欠点を解決しようとするものである。
【課題を解決するための手段】
【０００４】  本考案は、従来の固定した受光ソ−ラ−発電パネル・フレ−ムにスライド式の場合は、フレ−ムを段積併設し、この内側を前述したソ−ラ−発電パネルを移動しセッティングする。ノ−ト式の場合は増架パネル用フレ−ム・ソ−ラ−発電パネル共蝶番タイプ等により開閉しセッティングさせる。又前述のスライド＆ノ−ト式を組み合わせる事も可能である。増架パネル用フレ−ムと一体化した、ソ−ラ−発電パネルと共に蝶番タイプ等の方法により開閉し、セッティングさせる。上記方法により、受光面積は数倍以上となり、大幅に増加できる。又、油圧・ワィヤ−・ギャ−モ−タ−等の、手動＆遠隔自動操作システムにより、自動操作させセッティングさせる。尚、原則として、雨天時・強風時には可動パネルを基本ベ−スに収納する。ベ−スアンカ−・ベ−ス蝶番付とする事で作業性を良くする。尚、一括した受光パネル増架用のアップスライダ−モ−ル式等により受光面積は倍増以上に大幅に増加できる。上記の増架用ソ−ラ−発電パネルをシステム化させる。本考案は以上のような構成よりなる装備をセッティングすることにより問題点を解決している。
【考案の効果】
【０００５】  今回の考案を汎用し拡大される事で、環境に優しいエコシステム向上の一環としても、自然エネルギ−を最大限に利用する事により、省エネとなり地球温暖化対策及びその抑制に役立つ事となる。本発明は、無限大の自然を極力利用して、受光パネル面積を増加して、システム汎用の拡大が出来れば、下記の効果が増大する。
ａ  受光パネルの安価、安定、安全性を増大
ｂ  設置スペ−ス選択の自由と拡大
ｃ  ランニングコスト＆イニシャルコストの低下
ｄ  受光効率のアップによりト−タルコストの低下
ｅ  受光パネル等生産コストの低下・設備費の圧縮・償却年数の短縮が可能
上述の様に、本考案の増架用スライドフレ−ムソ−ラ−パネルを単独ポ−ル等の他に、従来タイプとの合体の設置により、発電量の増加と受光効率のアップ・ト−タルコストの低減が図れるものとして役立つものである。
アップスライダ−モ−ル式は、送風換気・日照時間調整等が必要とする農園事業・養魚場・サンル−フデッキ・各種コ−ト場等のフエンス占有個所及び、ビニ−ルハウス栽培等に関係する諸事業において、日照時間帯と日照遮光時間帯等の切替えをアップスライダ−モ−ル式の利用法により、効率的に活用出来る事も可能となり又、これにより得た省エネ省人化と発生電力を１００％栽培システムに採り込むことでその効果は一石三鳥となるのである。
【考案を実施するための最良の形態】
【０００６】  ポ−ル等への設置及び、架台の占有面積は従来と変わらず同一で可動する増架パネル用のフレ−ムにより、スライド＆ノ−ト型ソ−ラ−パネル＆アップスライダ−モ−ル式何れも発電パネル・増架フレ−ムコストのみで発電の増容量を可能とする。
これにより従来型の建物屋根等の構造物のみへの設置費に比較して、設備費の圧縮及び、償却年数が短縮できるのである。【０００７】  スライド＆ノ−ト型ソ−ラ−パネルは架台の占有面積は従来と変わらず同一で受光パネル面積を倍増以上とする。即ち、従来の固定した受光パネル用架台と今回、考案した増架パネル用の可動するパネル用フレ−ムより構成する。これにより受光効率のアップとト−タルコストのダウンが図られる。これは、既存屋根上への設置に止まらず、単独ポ−ル等の安全と安定性を第一としたユニットタイプ（ア−ム・ブラケット）に依る組み立て式を主として  組立てるソ−ラ−パネルの増架フレ−ムコスト、のみで設置を可能とする。
従って、設備費の圧縮即ち、ト−タルコストの低減が図れるので償却年数の短縮が図れる様にしたものである。【０００８】  太陽光の日照を朝日から夕陽まで長時間受光する方法として日照方向に併せて、受光パネル用架台（ポ−ル）を手動又は、センサ−・ロ−タリ−等による傾斜角度＆回転方向のチェンジを可能とする。これをシステム化して、受光効率を向上させて、固定パネルとする他、これに受光パネルをスライド＆ノ−ト型ソ−ラ−パネルを増架パネルとする事により、従来に無かった簡易増設を可能とし、セット当たり発電量を倍増以上とする事が出来る。尚、上記の架台を、単独・併設ポ−ルタイプ等として上記設備を２〜３段積等として多層設置する事で、受光パネル面積を、更に倍増以上とする事も可能となる。且つ、日照条件が良ければ、いかなる狭隘な場所でも設置が可能となり、設置・移動等も単独に出来る等、汎用がより拡大するのである。【０００９】  アップスライダ−モ−ル式は架台の占有面積は従来と変わらず同一で、受光パネル面積を倍増以上とする。即ち、従来の固定した受光パネル用架台と今回考案した増架用の一括可動するソ−ラ−パネル用フレ−ムにより構成する。
アップスライダ−モ−ル式とする事で一括したソ−ラ−パネル増架を可能とする。即ち、梯子型の枠内に予め、ソ−ラ−パネルと付属配線を仕組み、固定したものを一括して、アップスライダ−モ−ル式パネルとして増架する。これは、フェンス廻りビニ−ルハウス・温床ファン換気設備・栽培農園周辺等の他、各現場における開閉用の必要電源等に対応が可能又、屋根上・ポ−ル型あるいわ横組式及び縦組式とし上記を横繋ぎとして多層設置する事でセットの大型化も可能とする。これにより受光効率のアップ・発電料金の増収と設備のト−タルコスト、ダウンが図られる。単独ポ−ル等安価で安全と定性を第一としたユニットタイプ（ア−ム・ブラケット）式の設置により従来型の建物屋根等の構造物のみへの設置費と比して、操作簡単・増架用フレ−ムのコストのみで増設設置を可能とする。従って、ランニングコスト＆イニシャルコストの低減が図れるのでト−タル設備費の圧縮及び償却年数が短縮できるのである。
【実施例】
【００１０】  以下、添付図面に従ってスライド＆ノ−ト型ソ−ラ−パネルの一実施例を説明する。
図１本考案の実施例の正面図では、ポ−ルセンタ−上にある・３層パネルを１層宛左右・上下の何れかにスライド又は、ノ−ト式によりフレ−ムに定着させる。
図３側面図では、ポ−ルにあるア−ムの伸縮によりパネルを日照方向に合わせて調節する
図４上面図では、ポ−ルセンタ−上にある回転機能によりパネルを日照方向に合わせる
図８側面図では、パネル層を更に２段積み以上とする事も可能である
図９ポ−ル関係の参考例図では、メンテナ・工事作業時の至便性の為、建て起こしをし易くしたものである。【００１１】  次の添付図面に付いてアップスライダ−モ−ル式の一実施例を説明する。
図１本考案の実施例の正面図では、ポ−ルセンタ−上にある、２層パネルを一括してスライドさせ乍らフレ−ムにセッティングさせるものである。尚、付属配線等はセット済。
図２側面図では、ポ−ルにある２層パネルを一括してスライドさせ乍らセットしたもの
図３正面図では、ポ−ルにある３層パネルを一括してスライドさせ乍らセットしたもの
図４上面図では、ポ−ルにある３層パネル
図５側面図では、パネルにある３層パネルを一括してスライドさせ乍らセットしたもの
図６上面図では、単独ポ−ルにある３層パネル
図７側面図では、パネルにある３層パネルを一括してスライドさせた実用傾斜図である
ポ−ルにあるア−ムの伸縮によりパネルを日照方向に合わせて調節する
図８ポ−ル関係の参考例図では、メンテナ・工事作業時の至便性の為、建て起こしをし易くしたものである。【００１２】  本考案の一実施例は上述の如き構成からなるものであるから、ソ−ラ−パネルを設置するスペ−スがあれば、最大限の活用を実施推進して行く事で省エネ・環境対策として役立つことになるのである。
【図面の簡単な説明】
【００１３】〔スライド＆ノ−ト型ソ−ラ−パネル〕
【図１】  本考案の実施例の正面図組合わせタイプ例であり、その開閉前後図である
【図２】  上面図であり、その開閉前後図である
【図３】  単独タイプ正面図と側面図である
【図４】  単独タイプ上面図であり、ポ−ル回転システム図である
【図５】  ポ−ル側面図であり、スライド前後図である
【図６】  Ｗタイプ正面図であり、横繋ぎタイプ図である
【図７】  Ｗタイプ上面図であり、ポ−ル回転システム図である
【図８】  ポ−ル関係側面図であり、縦繋ぎタイプ図である
【図９】  ポ−ル関係の参考例図である
【図１０】  倉庫等屋上における応用例の正面図である  〔アップスライダ−モ−ル式〕
【図１１】  本考案の実施例の正面図の２層例であり、縦繋ぎタイプ図である
【図１２】  側面図の２層例であり、縦繋ぎタイプ図である
【図１３】  正面図の３層例・２ポ−ルであり横繋ぎ・縦繋ぎタイプ図である
【図１４】  上面図の３層例・２ポ−ルであり横繋ぎ・縦繋ぎタイプ図である
【図１５】  側面図の３層例であり、縦繋ぎタイプ図である
【図１６】  上面図の３層例であり、縦繋ぎタイプ図である
【図１７】  実用傾斜側面図の３層例であり、縦繋ぎタイプ図である
【図１８】  ポ−ル関係の参考例図である
【符号の説明】
【００１４】  １  屋根馬  ＳＵＳガルバニュ−ム系等
２  支持ポ−ル
３  ア−ム
４  固定フレ−ム
５  ガ−タ−
６  スライドフレ−ム
７  滑車
８
９  ベ−スアンカ−ベ−ス蝶番付
１０  パネル傾斜用ア−ム
１１  ソ−ラ−パネル
１２  オ−プンパネル
１３  スライドパネル
１４
１５  スライドワィヤ−
１６  安定フック
【図１】
0003129362.tif 000003
【図２】
0003129362.tif 000004
【図３】
0003129362.tif 000005
【図４】
0003129362.tif 000006
【図５】
0003129362.tif 000007
【図６】
0003129362.tif 000008
【図７】
0003129362.tif 000009
【図８】
0003129362.tif 000010
【図９】
0003129362.tif 000011
【図１１】
0003129362.tif 000012
【図１２】
0003129362.tif 000013
【図１３】
0003129362.tif 000014
【図１４】
0003129362.tif 000015
【図１５】
0003129362.tif 000016
【図１６】
0003129362.tif 000017
【手続補正書】
【提出日】平成18年10月30日(2006.10.30)
【手続補正１】
【補正対象書類名】実用新案登録請求の範囲
【補正対象項目名】全文
【補正方法】変更
【補正の内容】
【実用新案登録請求の範囲】
【請求項１】
予め太陽電池アレイよりなるソーラーパネルの標準サイズに合わせて製作した梯子型フレームの枠内にソーラーパネルを電気的配線と共に装着し、此れを収納セットとしてユニットモジュール化したものを架台と共にアップスライダーモール式として一括可動する即ち、固定した架台をベースとして可動部分のみを一括揚げ降ろしするようにユニットとしてシステム化する事において、
（１）梯子型フレーム枠内の表面に標準装備のソーラーパネルを電気的配線と共に、嵌め込み、これをユニットとしてモジュール化し、更に連結して一体化させる、
（２）上記裏面は補強材により安全に固定し、ポール・フレーム・アーム・ブラケット等は充分な強度を確保する、
（３）上記（１）の梯子型フレームソーラーパネルユニット一式をアップスライダーモールとして一体化した上、此れに沿った形で更に２〜３層組みとする、
（４）手動又はモーターによる伝導ギヤーｏｒワイヤー駆動式によりアップスライダーモールをユニットとして一括してせり揚げ又は、一括して降ろす事を容易にする
（５）ポールに付帯するアーム・ブレース架台を歯車付によるハンドル操作で傾斜角度の可変をする、
以上の構成からなる太陽光発電用アップスライダーモール式。
【手続補正２】
【補正対象書類名】明細書
【補正対象項目名】全文
【補正方法】変更
【補正の内容】
【考案の詳細な説明】
【技術分野】
【０００１】  本考案は、固定した受光パネル用架台に、増架するための可動パネル用フレーム及び受光パネルを一括スライドさせる、これを２〜３層とする即ち、受光面積を倍増以上とするソーラーシステムに関するものである。
【背景技術】
【０００２】  ソーラー発電設備は概ね建物屋根等の構造物への設置が多く、街路灯・交通信号点滅灯等の単体設置に限られている。その他、利用方法に付いて広く応用がされていない。即ち固定した受光パネル用架台等の設置のみにとどまっている。
【考案の開示】
【考案が解決しようとする課題】
【０００３】  自然エネルギーを最大限に利用する事に依り、環境に優しいエコシステム向上の一環として、今回の考案を汎用拡大される事で、省エネ及び地球温暖化防止抑制に役立つ事になる。即ち従来の占有面積を利用し乍ら、より一層無限の太陽エネルギーを活用する為に、日照条件が適えれば狭隘なスペースでも簡易的に設置可能なユニットシステムを基本とした、応用多彩的なワンタッチ方式による連続ユニットシステムを安全＆簡易的にベランダの他屋外手摺・地上・屋上ポール等、空間スペースを充二分に有効活用して設置し易くする等一層受光効率を高める。前述の欠点を解決しようとするものである。
【課題を解決するため手段】
【０００４】  本考案は、受光ソーラー発電パネル式の場合は、フレームを段積併設し、この内側を前述したソーラー発電パネルを移動しセッティングする、増架パネル用発電パネル共蝶番タイプ等により開閉してセッティングさせる、増架パネル用フレームと一体化したソーラー発電パネルと共に蝶番タイプ等の方法により開閉し、セッティングさせる、上記方法により、受光面積は数倍以上となり、大幅に増加できる  又、油圧・ワィヤー・ギャーモーター等の、手動＆遠隔自動操作システムにより、セッティングさせる、尚、原則として、雨天時・強風時には可動パネルを基本ベースに収納し、ベースアンカー・ベース蝶番付とする事で作業性を良くする、又、一括した受光パネル増架用のアップスライダーモール式等により受光面積は倍増以上とし増架用ソーラー発電パネルをシステム化させる、本考案は以上のような構成よりなる装備をセッティングすることにより問題点を解決している。
【考案の効果】
【０００５】  上述の様に、本考案の太陽光発電用アップスライダーモール式は環境に優しいエコシステム向上の一環としても、自然エネルギーを最大限に利用する事により省エネとなり地球温暖化対策及びその抑制に役立つ、無限大の自然を極力利用して受光パネル面積を増加するシステム汎用の拡大が出来れば、下記の効果も増大する、
ａ  受光パネルの安価、安定、安全性を増大
ｂ  設置スペース選択の自由と拡大
ｃ  ランニングコスト＆イニシャルコストの低下
ｄ  受光効率のアップによりトータルコストの低下
ｅ  受光パネル等生産コストの低下・設備費の圧縮・償却年数の短縮が可能
上述の様に、本考案の増架用と従来タイプとの合体の設置により、発電量の増加と受光効率のアップ  トータルコストの一層の低減が図れるものとして役立つものである。
アップスライダーモール式は、送風換気・日照時間調整等が必要とする農園事業・養魚場・サンルーフデッキ・各種コート場等のフエンス占有個所及び、ビニールハウス栽培等に関係する諸事業において、日照時間帯と日照遮光時間帯等の切替えをアップスライダーモール式の利用法により、効率的に活用出来る事も可能となり又、これにより得た省エネ省人化と発生電力を１００％栽培システムに採り込むことでその効果は一石三鳥となるのである。
【考案を実施するための最良の形態】
【０００６】  梯子型の枠内に収めたソーラーパネルを連結し配線セットしたものを一括可動する様に組合わせたアップスライダーモール式ソーラーとする事で、ポール等への設置及び、固定した架台の占有面積は従来と変わらず同一で、可動する増架パネル用のフレームにより発電の増容量を可能とする事が出来る、これにより発電パネル・増架フレームコストのみで設置を可能とする、又、太陽光の日照を朝日から夕陽まで長時間受光する方法として日照方向に併せて、受光パネル用架台を手動又はセンサーロータリー等による傾斜角度＆回転方向のチェンジを可能とする、これをシステム化して受光効率を向上させる、尚、簡易増設を可能として、セット当たり発電量を倍増以上とする事が出来る、架台を単独・併設ポールタイプ等とし上記設備を２〜３段積等として多層設置する事で更に倍増以上とする事も可能となる。
【実施例】
【０００７】  以下、添付図面に従って一実施例を説明する。
２は支持ポールでありＳＵＳ鋼管等による耐久性のある支持材、単独・併用用として
３はアームでありＳＵＳ等による耐久性のある支持材、スライドフレーム等の固定部材
４は固定フレームでありＳＵＳ等による耐久性のある支持材、フレーム等の固定部材として２層・３層フレームを支持する
５はガーターでありＳＵＳ等による耐久性のある支持材、フレーム等の固定部材枠
６はスライドフレームでありＡＬ等軽量による耐久性のある支持材、連結したソーラーの固定部材であり、これを一括してスライド移動させる、
７は滑車でありスライドフレームを移動させるスライドワィヤー用として適所に配置、
９はベースアンカーベース蝶番付であり支持ポール用としてメンテナ・工事作業時の至便性の為、建て起こしをし易くする、
１０はパネル傾斜用アームであり支持ポール付属品としてアームの伸縮によりパネル角度を日照方向に合わせて調節する、
１１はソーラーパネルであり太陽発電用として固定ベース、
１２はオープンパネル太陽発電用でありとしてスライドする、
１３はスライドパネルであり太陽発電用これを一括してスライド移動させる、
１５はスライドワィヤーであり滑車用としてスライドフレームの一括移動の操作用、【０００８】  本考案の一実施例は上述の如き構成からなるものであるから、ソーラーパネルを設置するスペースがあれば、最大限の活用を実施推進して行く事で省エネ・環境対策として役立つことになるのである。
【図面の簡単な説明】
【０００９】
【図１】本考案の実施例の正面図では、ポールセンター上にある、２層パネルを一括してスライドさせ乍らフレームにセッティングさせたもの
【図２】側面図では、ポールにある２層パネルを一括してスライドさせ乍らセット
【図３】正面図では、ポールにある３層パネルを一括してスライドさせ乍らセット
【図４】上面図では、ポールにある３層パネルである、
【図５】側面図では、パネルにある３層パネルを一括してスライドさせ乍らセット
【図６】側面図では、パネルにある３層パネルを一括してスライドした傾斜図
【図７】上面図では、ポールにある３層パネルである、
【図８】ポール基礎部  作業時使用状況図
【図９】本考案の実施例の正面図組合わせタイプ例であり、その開閉前後図である
【図１０】Ｗタイプ上面図であり、ポール回転システム図である
【図１１】単独タイプ正面図と側面図である
【図１２】上面図であり、その開閉前後図である
【図１３】ポール側面図であり、スライド前後図である
【図１４】Ｗタイプ正面図であり、横繋ぎタイプ図である
【図１５】単独タイプ上面図であり、ポール回転システム図である
【図１６】ポール関係側面図であり、縦繋ぎタイプ図である
【図１７】ポール関係の参考例図である
【符号の説明】
【００１０】  ２  支持ポール
３  アーム
４  固定フレーム
５  ガーター
６  スライドフレーム
７  滑車
９  ベースアンカーベース蝶番付
１０  パネル傾斜用アーム
１１  ソーラーパネル
１２  オープンパネル
１３  スライドパネル
１５  スライドワィヤー
【手続補正３】
【補正対象書類名】図面
【補正対象項目名】図１６
【補正方法】変更
【補正の内容】
【図１６】
0003129362.tif 000018
【手続補正４】
【補正対象書類名】図面
【補正対象項目名】図１７
【補正方法】変更
【補正の内容】
【図１７】
0003129362.tif 000019